(57)【要約】【課題】ＤＶテープから再生されたビデオ信号をＤＶＤに記録する際に、コンテンツの終端部分の無信号部分を削除して記録する。【解決手段】本発明のＤＶＤレコーダ１０は、ＤＶテープから再生されたビデオ信号をＩＴＵ−Ｒ  ＢＴ．６０１のビデオ信号に変換するＤＶデコーダ１６と、ＩＴＵ−Ｒ  ＢＴ．６０１のビデオ信号をＭＰＥＧ−２データストリームに符号化するＭＰＥＧエンコーダ１７と、ＭＰＥＧ−２データストリームをＤＶＤディスク１に記録するドライブ装置２３とを備えている。ＤＶＤレコーダ１０では、ＤＶテープから再生されたデータストリームの記録を行っている最中に、ＤＶテープのタイムコード情報を検出し、検出したタイムコード情報が無信号を意味する値（例えば０）に変化した変化タイミングでのデータの記録アドレスを記憶しておく。そして、記録終了後に、その記憶しているアドレス以降に再生されるデータをＤＶＤディスク１から消去する。【選択図】  図１
2004318925.tif 000002
【特許請求の範囲】
【請求項１】
ビデオ及び／又はオーディオデータを所定のフォーマットで符号化してディスク状記録媒体に対して記録を行うディスク記録装置において、
テープメディアから再生されたデジタルのビデオ及び／又はオーディオデータストリームが入力されるデジタル入力端子と、
上記デジタル入力端子から入力されたデータストリームを上記所定のフォーマットで符号化して上記ディスク状記録媒体に記録する記録手段と、
上記ディスク状記録媒体に対するデータの書き込み位置及びファイル管理を行う制御手段とを備え、
上記制御手段は、
上記デジタル入力端子から入力されたデータストリームを上記ディスク状記録媒体に対して記録を行っている最中に、上記入力端子から入力されるデータストリーム中に付加されているテープメディアのタイムコード情報を検出し、検出したタイムコード情報が無信号を意味する値に変化した変化タイミングでのデータの上記ディスク状記録媒体のアドレスを記憶しておき、
記録終了後、上記変化タイミング以後上記タイムコード情報が有効な値とならなかった場合には、記憶している上記アドレス以降に再生されるデータを消去することを特徴とするディスク記録装置。
【発明の詳細な説明】
【０００１】
【発明の属する技術分野】
本発明は、テレビジョン信号をデジタル符号化してＤＶＤ等の記録媒体に記録する映像信号記録装置に関する。
【０００２】
【従来の技術】
テレビジョン放送の録画や撮影画像を記録する装置として、ビデオテープレコーダに代わり、記録型ＤＶＤをメディアとして用いたＤＶＤレコーダが普及し始めている。記録型ＤＶＤは、直径１２ｃｍ、厚さ１．２ｍｍの片面で４．７Ｇバイトの容量の記録可能な光ディスクである。
【０００３】
記録型ＤＶＤには、追記型（一回のみ記録可能タイプ）と書き換え型（複数回の書き換え可能タイプ）を合わせて、ＤＶＤ−Ｒ、ＤＶＤ−ＲＷ、ＤＶＤ＋ＲＷ、ＤＶＤ＋Ｒ及びＤＶＤ−ＲＡＭの５つの種類のフォーマットが提案されている。これらのフォーマットは、ＤＶＤの民間規格団体である“ＤＶＤフォーラム”  （例えば非特許文献１を参照。）、並びに、ＤＶＤフォーラムとは異なる民間規格団体である“ＤＶＤ＋ＲＷアライアンス”  （例えば非特許文献２を参照。）から提案されている。
【０００４】
また、これらのＤＶＤ規格では、ビデオ及びオーディオの符号化方式として、ＭＰＥＧ−２方式が採用されている。ＤＶＤレコーダでは、入力されたビデオ及びオーディオ信号を、ＭＰＥＧ−２方式で圧縮符号化してＭＰＥＧ−２データストリームを生成し、生成したＭＰＥＧ−２データストリームに対してさらに対応したオーサリング処理を行って、ＤＶＤに対して記録を行う。
【０００５】
また、ＤＶＤレコーダは、例えばＩＥＥＥ１３９４端子等のデジタル入力端子が設けられ、デジタル記録型のカメラ一体型ビデオテープレコーダ（以下、ＤＶカムコーダという。）により撮影された動画像を転送記録できるようになっている。
【０００６】
【非特許文献１】
インターネット＜ＵＲＬ  ：ｈｔｔｐ：／／ｗｗｗ．ｄｖｄｆｏｒｕｍ．ｇｒ．ｊｐ／＞
【非特許文献２】
インターネット＜ＵＲＬ  ：ｈｔｔｐ：／／ｗｗｗ．ｄｖｄｒｗ．ｃｏｍ／＞
【０００７】
【発明が解決しようとする課題】
ところで、テープメディアに記録されているビデオ信号を再生し、その再生信号をＤＶＤに転送して記録する場合、テープメディアがシーケンシャルアクセスされる記録媒体であるため、ビデオ信号がちょうど終了した時点でテープ再生を停止するとともにＤＶＤの記録も停止するといった、いわゆるシンクロダビングをすることが困難である。そのため、このようにテープメディアから再生されたビデオ信号の記録を行った場合、ＤＶＤには、最後が無信号となっているコンテンツが記録されてしまう。
【０００８】
本発明は、以上のような実情を鑑みてなされたものであり、テープメディアから再生されたデジタルのビデオ及び／又はオーディオ信号をディスク状記録媒体に記録する際に、コンテンツの終端部分に無信号部分を生じさせずに記録をすることができるディスク記録装置を提供することを目的とする。
【０００９】
【課題を解決するための手段】
本発明に係るディスク記録装置は、ビデオ及び／又はオーディオデータを所定のフォーマットで符号化してディスク状記録媒体に対して記録を行う装置である。
【００１０】
本発明に係るディスク記録装置は、テープメディアから再生されたデジタルのビデオ及び／又はオーディオデータストリームが入力されるデジタル入力端子と、上記デジタル入力端子から入力されたデータストリームを上記所定のフォーマットで符号化して上記ディスク状記録媒体に記録する記録手段と、上記ディスク状記録媒体に対するデータの書き込み位置及びファイル管理を行う制御手段とを備えている。
【００１１】
上記制御手段は、上記デジタル入力端子から入力されたデータストリームを上記ディスク状記録媒体に対して記録を行っている最中に、上記入力端子から入力されるデータストリーム中に付加されているテープメディアのタイムコード情報を検出し、検出したタイムコード情報が無信号を意味する値に変化した変化タイミングでのデータの上記ディスク状記録媒体のアドレスを記憶しておき、記録終了後、上記変化タイミング以後上記タイムコード情報が有効な値とならなかった場合には、記憶している上記アドレス以降に再生されるデータを消去する。
【００１２】
【発明の実施の形態】
以下、本発明の実施の形態として本発明を適用したＤＶＤレコーダについて説明をする。
【００１３】
図１に、本発明の実施の形態のＤＶＤレコーダ１０のブロック構成図を示す。
【００１４】
本発明の実施の形態のＤＶＤレコーダ１０は、テレビジョン放送や録画テープから再生されたＡＶ信号（映像／音声信号）をＤＶＤディスクに記録し、また、ＤＶＤディスクからＡＶ信号を再生して出力する装置である。
【００１５】
ＤＶＤレコーダ１０では、ＤＶＤの民間規格団体である“ＤＶＤフォーラム”により提案されているＤＶＤ−ＶＩＤＥＯ，ＤＶＤ−Ｒ，ＤＶＤ−ＲＷ及びＤＶＤの民間規格団体である“ＤＶＤ＋ＲＷアライアンス”により提案されているＤＶＤ＋Ｒ及びＤＶＤ＋ＲＷに対する記録や再生が可能なマルチタイプのディスクレコーダである。以下、ＤＶＤレコーダ１０により記録再生が可能なこれらのＤＶＤディスクを総称する場合には、ＤＶＤディスク１と呼ぶものとする。
【００１６】
ＤＶＤレコーダ１０の内部構成について、図１を参照して説明する。
【００１７】
ＤＶＤレコーダ１０は、ビデオ入力端子（Ｖｉｎ）と、オーディオ入力端子（Ａｉｎ）と、ビデオ出力端子（Ｖｏｕｔ）と、オーディオ出力端子（Ａｏｕｔ）と、デジタルインタフェース端子（ＤＶｉｎ）と、ビデオＡ／Ｄコンバータ１１と、ビデオＤ／Ａコンバータ１２と、オーディオＡ／Ｄコンバータ１３と、オーディオＤ／Ａコンバータ１４とを備えている。
【００１８】
ビデオ入力端子（Ｖｉｎ）は、チューナ，セットトップボックスやビデオ信号再生装置等と映像ケーブルを介して接続される。ビデオ入力端子（Ｖｉｎ）には、これらの装置から、例えばＮＴＳＣやＰＡＬ等の所定の映像フォーマットの映像信号であるビデオ信号が入力される。なお、ビデオ入力端子（Ｖｉｎ）に入力されたビデオ信号は、ビデオＡ／Ｄコンバータ１１によってアナログ信号からデジタル信号に変換されて装置内に入力される。ビデオ出力端子（Ｖｏｕｔ）は、テレビジョンモニタやビデオ信号記録装置等と映像ケーブルを介して接続される。ビデオ出力端子（Ｖｏｕｔ）は、これらの装置に対して、例えばＮＴＳＣやＰＡＬ等の所定の映像フォーマットの映像信号であるビデオ信号を出力する。なお、ビデオ出力端子（Ｖｏｕｔ）から出力されるビデオ信号は、ビデオＤ／Ａコンバータ１２によってデジタル信号からアナログ信号に変換されて装置外に出力される。
【００１９】
オーディオ入力端子（Ａｉｎ）は、チューナ，セットトップボックスやオーディオ信号再生装置等とオーディオケーブルを介して接続される。オーディオ入力端子（Ａｉｎ）には、これらの装置から、例えば所定のフォーマットの音声音楽信号であるオーディオ信号が入力される。なお、オーディオ入力端子（Ａｉｎ）に入力されたオーディオ信号は、オーディオＡ／Ｄコンバータ１３によってアナログ信号からデジタル信号に変換されて装置内に入力される。オーディオ出力端子（Ａｏｕｔ）は、オーディオ装置やオーディオ信号記録装置等とオーディオケーブルを介して接続される。オーディオ出力端子（Ａｏｕｔ）は、これらの装置に対して、例えば所定のフォーマットの音声音楽信号であるオーディオ信号を出力する。なお、オーディオ出力端子（Ｖｏｕｔ）から出力されるオーディオ信号は、オーディオＤ／Ａコンバータ１４によってデジタル信号からアナログ信号に変換されて装置外に出力される。
【００２０】
デジタルインタフェース端子（ＤＶｉｎ）は、例えば、ＩＥＥＥ１３９４端子やＵＳＢ等のデジタルデータ伝送用のインタフェースケーブルを介して、ＡＶデータ（ビデオデータ及びオーディオデータ）をＤＶテープカセットから再生するＤＶプレーヤと接続される。デジタルインタフェース端子（ＤＶｉｎ）には、このＤＶプレーヤがＤＶテープカセットから再生したＤＶフォーマットのＡＶデータ（ＤＶデータ）が入力される。
【００２１】
また、ＤＶＤレコーダ１０は、ＮＴＳＣ／ＰＡＬデコーダ１５と、ＤＶデコーダ１６と、ＭＰＥＧエンコーダ１７と、ＭＰＥＧデコーダ１８と、グラフィック合成回路１９と、ＮＴＳＣ／ＰＡＬエンコーダ２０とを備えている。
【００２２】
ＮＴＳＣ／ＰＡＬデコーダ１５は、ビデオ入力端子（Ｖｉｎ）から入力され、ビデオＡ／Ｄコンバータ１１によりデジタル化されたＮＴＳＣ又はＰＡＬフォーマット等のビデオ信号を、ＩＴＵ−Ｒ  ＢＴ．６０１フォーマットのビデオ信号に変換する。
【００２３】
ＤＶデコーダ１６は、デジタルインタフェース端子（ＤＶｉｎ）から入力されたＤＶデータを、ＩＴＵ−Ｒ  ＢＴ．６０１フォーマットのビデオ信号及び所定のフォーマットのオーディオ信号に変換する。
【００２４】
ＭＰＥＧエンコーダ１７は、ＩＴＵ−Ｒ  ＢＴ．６０１フォーマットのビデオ信号、及び、オーディオＡ／Ｄコンバータ１３によりデジタル化された所定のフォーマットのオーディオ信号が入力され、これらをＭＰＥＧ−２方式で圧縮符号化してＭＰＥＧ−２方式のＡＶデータストリーム（ＭＰＥＧ−２ストリーム）を生成する。
【００２５】
ＭＰＥＧデコーダ１８は、ＭＰＥＧ−２ストリームが入力され、これを伸張復号して、ＩＴＵ−Ｒ  ＢＴ．６０１フォーマットのビデオ信号及び所定のフォーマットのオーディオ信号を生成する。
【００２６】
グラフィック合成回路１９は、ＩＴＵ−Ｒ  ＢＴ．６０１フォーマットのビデオ信号の表示画面上に、外部入力されたオンスクリーンディスプレイ画像（ＯＳＤ画像）を合成する処理を行う。
【００２７】
ＮＴＳＣ／ＰＡＬエンコーダ２０は、グラフィック合成回路１９から出力されたＩＴＵ−Ｒ  ＢＴ．６０１フォーマットのビデオ信号を、ＮＴＳＣ又はＰＡＬフォーマットのビデオ信号に変換し、ビデオ出力端子（Ｖｏｕｔ）から出力する。
【００２８】
また、ＤＶＤレコーダ１０は、ビデオ信号及びオーディオ信号の伝送経路を切り換えるスイッチング回路２１を備えている。
【００２９】
スイッチング回路２１は、記録時と再生時とで伝送経路を切り換え、さらに、記録時には、ＤＶデータとそれ以外の信号の入力時とで伝送経路を切り換える。
【００３０】
具体的には、スイッチング回路２１は次のように経路を切り換える。すなわち、ＤＶデータ以外の信号を記録する場合には、スイッチング回路２１は、ＮＴＳＣ／ＰＡＬデコーダ１５から出力されたビデオ信号をＭＰＥＧエンコーダ１７及びグラフィック合成回路１９に供給し、オーディオＡ／Ｄコンバータ１３から出力されたオーディオ信号をＭＰＥＧエンコーダ１７及びオーディオＤ／Ａコンバータ１４に供給するように伝送経路を切り換える。また、ＤＶデータを記録する場合には、スイッチング回路２１は、ＤＶデコーダ１６から出力されたビデオ信号をＭＰＥＧエンコーダ１７及びグラフィック合成回路１９に供給し、ＤＶデコーダ１６から出力されたオーディオ信号をＭＰＥＧエンコーダ１７及びオーディオＤ／Ａコンバータ１４に供給するように伝送経路を切り換える。また、再生をする場合には、スイッチング回路２１は、ＭＰＥＧデコーダ１８から出力されたビデオ信号をグラフィック合成回路１９に供給し、ＭＰＥＧデコーダ１８から出力されたオーディオ信号をオーディオＤ／Ａコンバータ１４に供給するように伝送経路を切り換える。
【００３１】
また、ＤＶＤレコーダ１０は、バッファ回路２２と、ドライブ装置２３とを備えている。
【００３２】
バッファ回路２２は、ＤＶＤディスク１に対して記録及び再生される、ＭＰＥＧ−２ストリーム及び制御データストリームを一時的に格納するメモリである。
ドライブ装置２３は、ＤＶＤディスク１が装着され、装着されているＤＶＤディスク１に対して物理的にアクセスを行いデータの記録及び再生を行う装置である。なお、制御データストリームとは、ＤＶＤディスク１のフォーマットに規定されているインフォメーション情報等が含まれているデータストリームである。
【００３３】
また、ＤＶＤレコーダ１０は、ＶＢＩスライス回路２４を備えている。
【００３４】
ＶＢＩスライス回路２４は、ビデオ信号のブランキング期間に含まれているインフォメーション情報（ＶＢＩ情報）を、ビデオ入力端子（Ｖｉｎ）から入力されたビデオ信号から検出する回路である。
【００３５】
また、ＤＶＤレコーダ１０は、入力装置２５と、システムコントローラ２６とを備えている。
【００３６】
入力装置２５は、例えば赤外線リモートコントローラ等の入力デバイスであり、ユーザによりＤＶＤレコーダ１０を操作するための情報入力が行われる装置である。入力装置２５から入力された情報は、システムコントローラ２６に供給される。
【００３７】
システムコントローラ２６は、上述した各回路に対する設定及び制御を行うマイクロコンピュータ等から構成される制御ブロックである。
【００３８】
システムコントローラ２６により行われる具体的な処理には、例えば次のようなものがある。
【００３９】
例えば、システムコントローラ２６は、制御データストリームをバッファ回路２２から読み出してその制御データに基づいたＤＶＤディスク１に対するアクセス制御、表示制御等を行う。システムコントローラ２６は、データの記録開始時や終了時に、記録する、又は、記録したデータに関する制御情報を生成し、その制御情報をフォーマットに従ったデータストリームとしてＤＶＤディスク１に記録する。システムコントローラ２６は、ＭＰＥＧ−２ストリームのヘッダ情報の生成及びヘッダ情報の解析を行う。
【００４０】
また、システムコントローラ２６は、例えばメニュー画面等のＯＳＤ画像を生成し、生成したＯＳＤ画像をグラフィック合成回路１９に供給して、当該ＯＳＤ画像をテレビジョンモニタ上に表示させる。さらに、システムコントローラ２６は、入力装置２５からの入力情報に従ってＯＳＤ画像を適宜更新し、変更したＯＳＤ画像をテレビジョンモニタ上に表示させる。システムコントローラ２６は、入力装置２５からの入力に従って各種の制御を行ったり、現在表示しているＯＳＤ画像と現在入力された入力情報とに基づき決定される所定の制御を行ったりする。
【００４１】
また、システムコントローラ２６は、入力されたビデオ信号から検出されたＶＢＩ情報がＶＢＩスライス回路２４から供給され、このＶＢＩ情報に示されている複数の情報のうち、必要な情報をＭＰＥＧエンコーダ１７に供給し、ＭＰＥＧ−２ストリームのヘッダ情報にエンコードさせる。システムコントローラ２６は、再生時には、ＭＰＥＧ−２ストリームのヘッダ情報から検出された情報のうち、必要な情報に基づきＶＢＩ情報を生成し、生成したＶＢＩ情報をＮＴＳＣ／ＰＡＬエンコーダ２０に供給して、出力するビデオ信号の所定のブランキング位置にエンコードさせる。
【００４２】
以上のような構成のＤＶＤレコーダ１０の記録時の動作は、次のようになる。
【００４３】
記録時には、ＤＶＤレコーダ１０には、ビデオ信号及びオーディオ信号が外部から入力される。入力されたビデオ信号は、ＮＴＳＣ／ＰＡＬデコーダ１５又はＤＶデコーダ１６によりＩＴＵ−Ｒ  ＢＴ．６０１フォーマットのビデオ信号に変換される。ＩＴＵ−Ｒ  ＢＴ．６０１フォーマットのビデオ信号は、スイッチング回路２１を介してＭＰＥＧエンコーダ１７に供給され、オーディオ信号とともにＭＰＥＧ−２ストリームに符号化される。バッファ回路２２は、ＭＰＥＧエンコーダ１７により符号化されたＭＰＥＧ−２ストリームを一時的に格納するとともに、システムコントローラ２６により生成された制御データストリームも一時的に格納する。そして、ＤＶＤレコーダ１０では、ドライブ装置２３が、ＤＶＤディスク１のフォーマットに従った順序でＭＰＥＧ−２ストリーム及び制御データストリームをバッファ回路２２から読み出し、読み出したデータをＤＶＤディスク１に記録していく。
【００４４】
また、さらに、ＤＶＤレコーダ１０では、記録中の映像及び音声をユーザがリアルタイムでＥＥモニタができるように次のような動作も行っている。
【００４５】
ＮＴＳＣ／ＰＡＬデコーダ１５又はＤＶデコーダ１６によりＩＴＵ−Ｒ  ＢＴ．６０１フォーマットに変換されたビデオ信号は、スイッチング回路２１を介して、グラフィック合成回路１９にも供給される。グラフィック合成回路１９に供給されたビデオ信号は、システムコントローラ２６によりＯＳＤ画像が出力されている場合にはＯＳＤ画像と合成され、ＯＳＤ画像が出力されていない場合にはそのままＮＴＳＣ／ＰＡＬエンコーダ２０に供給される。ＮＴＳＣ／ＰＡＬエンコーダ２０に供給されたＩＴＵ−Ｒ  ＢＴ．６０１フォーマットのビデオ信号は、ＮＴＳＣ又はＰＡＬフォーマットのビデオ信号に変換され、アナログ信号に変換されて外部に出力される。また、入力されたオーディオ信号は、スイッチング回路２１を介し、アナログ信号に変換された後に外部に出力される。
【００４６】
また、ＤＶＤレコーダ１０の再生時の動作は、次のようになる。
【００４７】
再生時には、ドライブ装置２３は、ＤＶＤディスク１からＭＰＥＧ−２ストリーム及び制御データストリームを読み出して、バッファ回路２２に格納する。バッファ回路２２に格納されているＭＰＥＧ−２ストリームは、ＭＰＥＧデコーダ１８により読み出され、制御データストリームはシステムコントローラ２６により読み出される。読み出されたＭＰＥＧ−２ストリームは、ＭＰＥＧデコーダ１８によりＩＴＵ−Ｒ  ＢＴ．６０１フォーマットのビデオ信号及びオーディオ信号に復号される。復号されたオーディオ信号は、スイッチング回路２１を介してアナログ信号に変換された後に外部に出力される。復号されたＩＴＵ−Ｒ  ＢＴ．６０１フォーマットのビデオ信号は、スイッチング回路２１を介して、グラフィック合成回路１９に供給される。グラフィック合成回路１９に供給されたビデオ信号は、システムコントローラ２６によりＯＳＤ画像が出力されている場合にはＯＳＤ画像と合成され、ＯＳＤ画像が出力されていない場合にはそのままＮＴＳＣ／ＰＡＬエンコーダ２０に供給される。ＮＴＳＣ／ＰＡＬエンコーダ２０に供給されたＩＴＵ−Ｒ  ＢＴ．６０１フォーマットのビデオ信号は、ＮＴＳＣ又はＰＡＬフォーマットのビデオ信号に変換され、アナログ信号に変換されたのちに外部に出力される。また、システムコントローラ２６は、読み出した制御データストリームに従い、例えばディスクの読み出し位置の制御や各種の表示制御等を行う。
【００４８】
つぎに、例えば、カムコーダ等に装着されたＤＶテープカセットから再生されたデジタルのＡＶデータを、ＤＶＤディスク１に対して記録する場合の処理について、図２を参照して説明をする。
【００４９】
カムコーダと本ＤＶＤレコーダ１０とは、デジタルインタフェース端子（ＤＶｉｎ）を介してＩＥＥＥ１３９４等のインタフェースケーブルで接続される。カムコーダは、ＤＶテープ３０から再生したデジタルのＡＶデータを出力する。ＤＶテープ３０から再生されたＡＶデータは、ＤＶデコーダ１６によってそのテープフォーマットのデータストリームから、ＩＴＵ−Ｒ  ＢＴ．６０１フォーマットのビデオ信号に変換される。続いて、ＩＴＵ−Ｒ  ＢＴ．６０１フォーマットのビデオ信号は、ＭＰＥＧエンコーダ１７によってＭＰＥＧ−２データストリームに変換され、ドライブ装置２３によってＤＶＤディスク１に記録される。
【００５０】
ここで、オーディオ信号又はビデオ信号をデジタル記録できるテープメディアのフォーマットでは、通常、タイムコードと呼ばれる情報が、例えば１トラック毎に記録されている。タイムコードは、記録されているデータの時間リファレンスであり、編集などに広く用いられる。
【００５１】
このようなタイムコードは、有効なＡＶデータが記録されているテープ部分には、そのテープの走行に合わせて時間が増加してゆく値が記録されている。それに対して、まだ、ＡＶデータが記録されていない無信号のテープ部分には、特定の値（例えば、０等）の値が記録されている。
【００５２】
ＤＶテープから再生されたデジタルのＡＶデータをデジタルインタフェースで転送する場合、通常、テープの再生位置に同期したタイムコードも転送される。
従って、ＤＶＤレコーダ１０に対しても、このタイムコードは転送されてくる。
【００５３】
図２に示すように、ＤＶＤレコーダ１０では、ＤＶデコーダ１６が、ＤＶテープから転送されてきたデジタルのＡＶデータからタイムコードを検出する。検出したタイムコードは、システムコントローラ２６に転送される。
【００５４】
システムコントローラ２６は、ＤＶテープから再生されたデジタルのＡＶデータをＤＶＤディスク１に対して記録している最中は、検出されたタイムコードを常にモニタリングしている。また、システムコントローラ２６は、現在のディスク上の記録アドレスも、モニタリングしている。
【００５５】
システムコントローラ２６は、タイムコードの値が、有効な信号を記録している通常の値から、無信号を意味する特定の値（例えば、０）に変化したタイミングを検出し、そのタイミングでのＤＶＤディスク上の記録位置（記録アドレス）を取得し、そのタイミングでのＤＶＤディスク上の記録位置（記録アドレス）を取得し、内部メモリ３１に格納しておく。
【００５６】
以後、記録が続行され、再度タイムコードが有効な値になった場合には、内部メモリ３１の値をクリアし、再度特定の値に変化したタイミングを検出する処理を繰り返す。
【００５７】
一方、タイムコードが特定の値（例えば、０）の状態でそのまま記録終了した場合には、システムコントローラ２６は、内部メモリ３１内に記憶されているアドレスに基づき、そのアドレス以降に再生されるデータを削除する。
【００５８】
例えば、ＤＶＤ−ＶＩＤＥＯ互換フォーマットでデータを記録している場合には、途中で途切れることなく再生されるタイトルを構成するデータは、必ず物理上連続したアドレスに記録しなければならない、とされているために、所定のアドレス以降の物理アドレスのデータ（ただし、管理情報は除く。）を削除すれば、そのアドレス以降に再生されるデータ、つまり、コンテンツの最後の部分の無信号部分を削除することが可能となる。また、ＤＶＤ−ＲＡＭ互換フォーマットでデータを記録している場合には、特定のアドレス以後のコンテンツデータがどこに記録されているかは、管理情報に基づき判断できるので、やはり、そのアドレス以降に再生されるデータを削除することができ、コンテンツの最後の部分の無信号部分を削除することが可能となる。
【００５９】
なお、ディスク上のアドレスを保存して末尾を削除することも可能であるが、無信号を意味するタイミングの値に変化する直前の値をシステムコントローラ２６が保存しておき、開始時間との差で残しておくべき長さを計算し、その情報を元に末尾を削除してもよい。
【００６０】
【発明の効果】
本発明に係るディスク記録装置では、テープメディアから再生されたデータストリームの記録を行っている最中に、テープメディアのタイムコード情報を検出し、検出したタイムコード情報が無信号を意味する値に変化した変化タイミングでのデータの記録アドレスを記憶しておく。そして、記録終了後に、変化タイミング以後タイムコード情報が有効な値とならなかった場合には、その記憶しているアドレス以降に再生されるデータを消去する。
【００６１】
このため本発明に係るディスク記録装置では、テープメディアから再生されたデジタルのビデオ及び／又はオーディオ信号をディスク状記録媒体に記録する際に、コンテンツの終端部分に無信号部分を生じさせずに記録をすることができる。
【図面の簡単な説明】
【図１】本発明の実施の形態のＤＶＤレコーダのブロック構成図である。
【図２】タイムコードの検出処理について説明するための図である。
【符号の説明】
１  ＤＶＤディスク、１０  ＤＶＤレコーダ、１５  ＮＴＳＣ／ＰＡＬデコーダ、１６  ＤＶデコーダ、１７  ＭＰＥＧエンコーダ、１８  ＭＰＥＧデコーダ、１９  グラフィック合成回路、２０  ＮＴＳＣ／ＰＡＬエンコーダ、２１  スイッチング回路、２２  バッファ回路、２３  ドライブ回路、２４  ＶＢＩスライス回路、２５  入力装置、２６  システムコントローラ
【図１】
2004318925.tif 000003
【図２】
2004318925.tif 000004